(57)【要約】【課題】パチンコ機，スロットマシン等の遊技機、または遊技機の付近に設けられる発光表示装置であって、遊技機用のものとして遊技者の視覚に訴える新鮮味，インパクトを備え、遊技に誘い込むような魅力を有するようにする。また、点灯状態、点灯色等を側方からも視認できるようにする。【解決手段】ケース体２内に複数個の発光ダイオード３を適宜間隔で配設し、該ケース体の開口面にプリズムシート４を配置すると共に、光透過率が５０〜８０％に設定されたドーム形のプラスチック製光拡散カバー５を前記プリズムシートの前面を覆うように装着する。また、プリズムシート４を回転動させる電動アクチュエータ２２を設ける。【選択図】図２
2006296853.tif 000002
【特許請求の範囲】
【請求項１】
ケース体内に複数個の発光ダイオードを適宜間隔で配設し、該ケース体の開口面にプリズムシートを配置すると共に、光透過率が５０〜８０％に設定されたドーム形のプラスチック製光拡散カバーを前記プリズムシートの前面を覆うように装着してなることを特徴とした遊技機用発光表示装置。
【請求項２】
プリズムシートを回転動させる電動アクチュエータを設けたことを特徴とする請求項１に記載の遊技機用発光表示装置。
【請求項３】
プリズムシートを前後動し発光ダイオードとの間隔を変動させる電動アクチュエータを設けたことを特徴とする請求項１に記載の遊技機用発光表示装置。
【請求項４】
プラスチック製光拡散カバーの前面を覆うプラスチック製の透明カバーを設け、該透明カバーに図柄を凹凸にて表示した請求項１〜３のいずれかに記載の遊技機用発光表示装置。
【発明の詳細な説明】
【技術分野】
【０００１】
本発明は、パチンコ機，スロットマシン等の遊技機、または遊技機の付近に設けられる発光表示装置に関するものである。
【背景技術】
【０００２】
ランプ，発光ダイオード等の光源に種々の形状の透光性カバーを設けてなる発光表示装置は、パチンコ機等の遊技機に多用されている。
また、下記特許文献１や特許文献２には、光拡散物質として酸化チタン，タルク，炭酸カルシウム等の白色微粉末を分散させた透光性カバーを有する遊技機用の発光表示装置が開示されている。
【特許文献１】特開２００１−１３７４３６号公報
【特許文献２】特開平１１−１１４１４６号公報
【発明の開示】
【発明が解決しようとする課題】
【０００３】
ところで、従来の発光表示装置は、単に点滅させたり、表示色を変化させたりするに過ぎないものであったので、遊技機用のものとしては新鮮味，インパクトがなく、遊技に誘い込むような魅力が発揮されていないものであった。
また、大当たりが発生したこと等を周囲の遊技客、或いは店員等に知らしめるためには、発光表示装置の前方からだけでなく側方からもよく視認できるようにすることが望まれるが、従来の発光表示装置は、点灯状態、或いは点灯色等が側方からは殆ど見られないものが多かった。
本発明は、このような既存装置の問題点を解消し得る遊技機用発光表示装置を提供しようとするものである。
【課題を解決するための手段】
【０００４】
そのために請求項１に記載した遊技機用発光表示装置の発明は、ケース体内に複数個の発光ダイオードを適宜間隔で配設し、該ケース体の開口面にプリズムシートを配置すると共に、光透過率が５０〜８０％に設定されたドーム形のプラスチック製光拡散カバーを前記プリズムシートの前面を覆うように装着してなることを特徴とする。
また請求項２に記載した発明は、上記遊技機用発光表示装置において、プリズムシートを回転動させる電動アクチュエータを設けたことを特徴とする。
また請求項３に記載した発明は、上記遊技機用発光表示装置において、プリズムシートを前後動し発光ダイオードとの間隔を変動させる電動アクチュエータを設けたことを特徴とする。
また請求項４に記載した発明は、上記遊技機用発光表示装置において、プラスチック製光拡散カバーの前面を覆うプラスチック製の透明カバーを設け、該透明カバーに図柄を凹凸にて表示したことを特徴とする。
【発明の効果】
【０００５】
幻想的な表示がなされ、新鮮でインパクトがあり、遊技者を遊技に誘い込むような魅力のある遊技機用発光表示装置を提供できる。また、側方からも視認でき、周囲の遊技者や店員からもその点灯状態、点灯色等がよく分かるようになる。
【実施例１】
【０００６】
次に本発明の実施例を図面に従い説明する。図１はこの遊技機用発光表示装置の分解斜視図、図２は縦断面図で、図中、１はプラスチック製のケース体２の内底部に設けられたプリント配線基板、３は該プリント配線基板上に適宜間隔で配設された複数個の発光ダイオードである。４はケース体２の円形の開口部に配置されるプリズムシート、５は該プリズムシートの前面を覆うように装着されるドーム形のプラスチック製光拡散カバーである。プリズムシート４は、金型にレーザー光線によって微細な凹凸を加工し、該金型にアクリル樹脂等からなる透明な合成樹脂フィルムに熱を加えながら圧着することによりその凹凸を該合成樹脂フィルムに転写してなるもので、発光ダイオード３から出た丸点状の光が該プリズムシートの凹凸により屈折せられることにより、プラスチック製光拡散カバー５に図３に例示したように十字状等に輝く多数の光輝像６を投影する。なお、該プラスチック製光拡散カバー５はその厚さを２ｍｍとした場合に、アクリル等の透明なプラスチックに酸化チタン，タルク，炭酸カルシウム等の白色微粉末を０．０１〜０．３重量％分散させる。これにより、ＪＩＳ  Ｋ７３６１に規定された光透過率の測定方法によって測定された光透過率が、５０〜８０％（好ましくは５０〜８０％）となるように設定することができる。そして十字状等の光輝像６を該プラスチック製光拡散カバー５の前方より視認することが可能となる。
【０００７】
また、７はプラスチック製光拡散カバー５の前面を覆うようにケース体２の前面に装着されるプラスチック製のドーム形の透明カバーで、該透明カバーの内面には凹凸によって図柄８が表示される。このため、この遊技機用発光表示装置を正面から見ると、図４に例示したように、光輝像６と図柄８とが合成された幻想的な模様が表出する。なお、ケース体２の内周面は金属幕を蒸着し反射面９を形成することにより発光ダイオード３の光が無駄なく前方に放射されるようにしている。
【０００８】
このように構成された遊技機用発光表示装置１０は、図５に示したように、パチンコ機の遊技盤１１上に設け、大当たり時等に発光ダイオード３を点灯させることにより、遊技者の視覚に直接に斬新さと共に強烈なインパクトを与えることができる。また、プラスチック製光拡散カバー５はドーム形に形成されているので、点灯状態、或いは点灯色等を側方からもよく視認することができる。このため、この発光表示装置１０を例えばパチンコ機の上方部に設けられる呼出ランプとして使用した場合では、周囲の遊技者や店員等に大当たりの状況、或いは故障、警報等を的確に知らしめることができる。
また、図示しないが、プリズムシート４の前面に透明な溶融樹脂をポッティングし、凸レンズ状にすることにより該プリズムシート４から投影する光輝像にさらなる変化を加えることも可能である。
【実施例２】
【０００９】
一方、図６に示した実施例は、プリズムシート４の外周に円形の枠体２０を嵌合し、該プリズムシート４をケース体２の開口部に開口面内で回転自在に配置し、該枠体に歯車２１を形成すると共に、電動アクチュエータ（モータ）２２の回転軸に該歯車と噛合するピニオン２３を設け、該電動アクチュエータを作動させることにより該プリズムシート４が低速度で回転動するようにしたもので、このようにプリズムシート４を回転させることにより、図７に示したようにプラスチック製光拡散カバー５に投影された十字状の光輝像６があたかも万華鏡のように回転する。このため一層幻想的な光景が演出される。なお、図６，７中の前記実施例と同一符号は同一部分を示す。
【実施例３】
【００１０】
また、図８に示した実施例は、プリズムシート４の外周に嵌合された枠体２０に一対の支持軸２４を外方に突設し、該支持軸２４をケース体２の開口部に回転自在に支持すると共に、一方の回転軸にクランク２５を形成し、電動アクチュエータ（ソレノイド）２６の作動軸２７に設けられた軸ピン２８を該クランクに形成された長孔２９に遊嵌し、該電動アクチュエータを作動させることによりプリズムシート４が一対の支持軸２４を中心に１５〜３０度反復揺動回転し、プラスチック製光拡散カバー５に投影された十字状の光輝像６の大きさ，形状がこれによって変動するようにしたもので、これによってさらに面白みのある光景が演出される。なお、図８中の前記実施例と同一符号は同一部分を示す。
【実施例４】
【００１１】
一方、図９に示した実施例は、枠体２０に嵌着されたプリズムシート４をケース体２の開口部に前後動自在に設け、ケース体２の外側に一対の電動アクチュエータ（ソレノイド）３０を設け、該電動アクチュエータ作動軸３１の先端を枠体２０に固着し、該電動アクチュエータを作動させることによりプリズムシート４が前後動し、発光ダイオード３との間隔を変動するように構成したものである。このように発光ダイオード３とプリズムシート４との間隔を変動させることでプラスチック製光拡散カバー５に投影される光輝像６の大きさ，形状が変化し、一層面白みのある光景が演出される。
【００１２】
また、図５に示したパチンコ機の前面に設けられたチャンススイッチである押しボタン１２を遊技者が操作することにより、上記のようにプリズムシート４が回転動したり前後動するようにしてもよい。
また、このような押しボタンを発光表示させるために本発明の装置を用いることも可能である。この場合、押しボタンの操作カバー（プラスチック製光拡散カバー）を押圧することで、操作カバーとプリズムシート４との前後距離が変更するので、光輝像に変化を加えることになる。
【図面の簡単な説明】
【００１３】
【図１】本発明に係る遊技機用発光表示装置の分解斜視図。
【図２】本発明に係る遊技機用発光表示装置の縦断面図。
【図３】本発明に係る遊技機用発光表示装置によって見られる模様像の例示図。
【図４】本発明に係る遊技機用発光表示装置によって見られる模様像の例示図。
【図５】本発明に係る遊技機用発光表示装置が設けられたパチンコ機の正面図。
【図６】本発明に係る遊技機用発光表示装置の他の実施例を示した縦断面図。
【図７】図６に示した遊技機用発光表示装置によって見られる模様像の例示図。
【図８】本発明に係る遊技機用発光表示装置の他の実施例を示した縦断面図。
【図９】本発明に係る遊技機用発光表示装置の他の実施例を示した縦断面図。
【符号の説明】
【００１４】
１                  プリント配線基板
２                  ケース体
３                  発光ダイオード
４                  プリズムシート
５                  プラスチック製光拡散カバー
６                  光輝像
７                  透明カバー
８                  図柄
２２，２６，３０    電動アクチュエータ
【図１】
2006296853.tif 000003
【図２】
2006296853.tif 000004
【図３】
2006296853.tif 000005
【図４】
2006296853.tif 000006
【図５】
2006296853.tif 000007
【図６】
2006296853.tif 000008
【図７】
2006296853.tif 000009
【図８】
2006296853.tif 000010
【図９】
2006296853.tif 000011